(57)【要約】【課題】  本考案の目的は、検査のために採取した血液や尿などの検体を入れた容器から別の容器に前記検体を分注する分注装置の、ノズルチップを保持するチップラックが正常にセットされたことを確認できる検体処理装置を提供することにある。【解決手段】  本考案の構成は、チップラック１に円形水準器３を取り付けることにより達成できる。チップラック１には、分注ノズル先端に取り付けるノズルチップ２が整列しておかれている。分注ノズルは血液，尿等の生体サンプルを分注する前にチップラック１上のノズルチップ２を装着する。【選択図】図１
0003104756.tif 000002
【実用新案登録請求の範囲】
【請求項１】
左右方向に移動する１ないし複数のＸ軸、前後方向に移動するＹ軸、上下方向に移動する、前記Ｘ軸と同数のＺ軸を有するＸＹＺ機構、前記Ｚ軸に、検査のために採取した血液や尿などの検体を入れた第一の検体容器から別の第二の検体容器に前記検体を分注する分注ヘッドを取り付け、使い捨てのノズルチップにより前記検体を分注する検体処理装置において、使用前のノズルチップを垂直に保持するチップラックに水準器を取り付け、前記チップラックの傾きを検出することでチップラックが正常にセットしてあることを検出することを特徴とする検体処理装置。
【請求項２】
請求項１の検体処理装置において、前記チップラックに取り付ける水準器は円形で全方向の傾きを一個の水準器で検出できることを特徴とする検体処理装置。
【請求項３】
請求項１の検体処理装置において、前記チップラックに取り付ける水準器は取り外し可能とすることを特徴とする検体処理装置。
【請求項４】
請求項１の検体処理装置において、前記チップラックに取り付ける水準器はチップラック上面に突出がないように取り付けられることを特徴とする検体処理装置。
【請求項５】
請求項１の検体処理装置において、前記チップラックに取り付ける水準器はチップラック手前に取り付けられることを特徴とする検体処理装置。
【考案の詳細な説明】
【技術分野】
【０００１】
本考案は、検査のために採取した血液や尿などの検体を分注する使い捨てノズルチップを保持するチップラックを備えた検体処理装置に関する。
【背景技術】
【０００２】
検査のために採取した血液や尿などの検体を入れた容器から別の容器に分注する検体分注装置は、病院や検査機関の検査室内に設置し、分析のための前処理を行い、種々の分析装置と接続するもので、設置面積の省スペース化や各種装置との自由な接続性，処理の多様化，高速化，低価格化，高信頼化などが要求される。
【０００３】
従来、分注装置はＺ軸に分注ヘッドを取り付け、その分注ヘッドに検体ごとに使い捨てのノズルチップを取り付け、親検体容器から検体を指定量だけ子検体容器に分注する。次の検体を分注時は、前の検体で使用したノズルチップは廃棄し、次のノズルチップをチップラックから分注ヘッドに自動装着する。チップラックは、部注ヘッドにノズルチップを正しく装着するために位置決め精度が要求されるので、位置決めピンやガイドが設けてある。ノズルチップを搭載したチップラックを分注機のチップラック位置にセットするとき、チップラックが傾いていてノズルチップが垂直になっていないと、ノズルチップが正しく装着されず、漏れ等の原因になる。また、位置決めピンやガイドに正しくセットされないでチップラックが浮き上がっていると、分注ヘッドの先端や装着したノズルチップがチップラックや搭載してある使用前のノズルチップに接触したりする。例えば、特許文献１に記載されたような従来の分注機は係員がチップラックを正しくセットすることを前提としており、チップラックの傾きや浮き上がりは、係員に任せ、かつ、チップラックをセットしたときの感触や隣接するチップラックとの状況から目視によりセット状態を確認していた。
【０００４】
【特許文献１】特開平５−９９９３２号公報
【考案の開示】
【考案が解決しようとする課題】
【０００５】
本考案の目的は、チップラックの傾きや浮き上がりを確認することができる検体処理装置を提供することにある。
【課題を解決するための手段】
【０００６】
本考案の構成は、チップラックに円形水準器を取り付けて、チップラックが水平にセットされたことを水準器により確認する事により実現できる。
【考案の効果】
【０００７】
以上説明したように、チップラックに円形水準器を取り付けることで、チップラックが正しく水平にセットされたことを水準器により確認することが可能となる。
【考案を実施するための最良の形態】
【０００８】
以下、本考案の実施例を図１に示す一実施例により説明する。図１は、分注機に用いるチップラック１に円形水準器３を取り付けた概念の例を示す図である。
【０００９】
チップラック１には多数のノズルチップ２が搭載され、分注機の所定の位置にセットされる。このチップラックからノズルチップが分注ヘッドに自動装着され、検体の分注が行われる。
【００１０】
図２に水準器を取り付けた例の詳細を示す。ノズルチップを挿入保持する部分を避けて、水準器取り付け金具４は構成される。
【００１１】
図３に横から見た図を示す。水準器は係員の見やすい、かつ操作の妨げにならない手前側の位置に取り付ける。さらに、高さ方向の位置はノズルチップより上に出ないように取り付ける。チップラック１は分注機のワークテーブルのベース５の上に水平になるようにセットされる。
【００１２】
図４に取り付けの例の詳細を示す。取り付け金具４と固定ネジ６によって、チップラック１の上板に水平になるように固定される。ネジにより固定するので、取り付け、取り外しが自由にできる。
【００１３】
図５に他の固定法の例を示す。チップラック上面に出ないように皿ネジにより固定する例である。こうすることにより、チップラック上面に制限がなく、従来の水準器のないときと同じような使用が可能になり、ノズルチップの装填等に制約がなくなる。
【００１４】
図６に分注機に水準器を搭載したチップラックをセットしたときの概念を示す。チップラックの手前側に水準器を取り付けることで見やすく、かつ水準器はノズルチップの頭部より下なので操作の妨げにならない。
【００１５】
図７にチップラック１の傾きを検出する例を示す。（ａ）は正常な場合で、水準器の検出円内に検出気泡が入っている。チップラック１が傾いていると、（ｂ）に示すように、水準器の検出気泡は検出円から外れる。なお、水準器の曲率半径は検出したい傾き、浮き上がりから算出する。限界傾き，浮き上がりのときに、検出気泡の中心が検出円にかかるようにすればよい。
【００１６】
このように、円形水準器を用いることで、チップラック１のセット状態が水準器を見ることで確実にチェックすることができる。
【図面の簡単な説明】
【００１７】
【図１】本考案の一実施例で、円形水準器を取り付けたチップラックの一例を示す図である。
【図２】本考案の一実施例に示す円形水準器を取り付けたチップラックの詳細を示す図である。
【図３】本考案の一実施例に示す円形水準器を取り付けたチップラックを横から見た一例を示す図である。
【図４】本考案の一実施例に示す円形水準器固定金具によるチップラックへの取り付けの例を示す図である。
【図５】本考案の一実施例に示す円形水準器を取り付けたチップラックの他の例を示す図である。
【図６】本考案の一実施例に示すチップラックを分注機の所定の位置にセットした例の概念を示す図である。
【図７】本考案の一実施例に示す円形水準器による水平検出を示す図である。
【符号の説明】
【００１８】
１…チップラック、２…ノズルチップ、３…水準器、４…水準器取付金具、５…ベース、６…固定ネジ。
【図１】
0003104756.tif 000003
【図２】
0003104756.tif 000004
【図３】
0003104756.tif 000005
【図４】
0003104756.tif 000006
【図５】
0003104756.tif 000007
【図６】
0003104756.tif 000008
【図７】
0003104756.tif 000009